(57)【要約】【課題】視角の違いに起因する見た目の色の変化を少なく表示可能な画像表示装置を提供する。【解決手段】光源の分光分布のピーク波長が、異なる視角の等色関数の差分が小さくなる波長域にあるように構成された第１の光源と、第１の光源とは異なる第２の光源と、を有する照明手段と、指示に応じて点灯させる光源を第１の光源と第２の光源とのいずれかに切り替える制御手段と、前記照明手段により照明される表示パネルと、を備える表示装置。【選択図】図１
2014164104.tif 000002
【特許請求の範囲】
【請求項１】
光源の分光分布のピーク波長が、異なる視角の等色関数の差分が小さくなる波長域にあるように構成された第１の光源と、第１の光源とは異なる第２の光源と、を有する照明手段と、
指示に応じて点灯させる光源を第１の光源と第２の光源とのいずれかに切り替える制御手段と、
前記照明手段により照明される表示パネルと、
を備える表示装置。
【請求項２】
前記表示装置の表示モードを、視角による見えの色の変動を抑制する色差低減モードを含む複数の表示モードのいずれかに設定する設定手段を備え、
前記制御手段は、前記設定手段により色差低減モードに設定された場合、前記第１の光源を点灯させる請求項１に記載の表示装置。
【請求項３】
前記第２の光源は、前記第１の光源よりも広色域の光源であり、
前記設定手段は、色差低減モードと、色再現性を優先する広色域モードと、を含む複数の表示モードのいずれかの表示モードに設定し、
前記制御手段は、前記設定手段により広色域モードに設定された場合、前記第２の光源を点灯させる請求項２に記載の表示装置。
【請求項４】
前記表示パネルに表示させる画像の色分布を解析する解析手段を備え、
前記制御手段は、前記解析手段により解析された画像の色分布が、前記第１の光源を点灯させた場合の色再現域に包含されているときに、前記第１の光源を点灯させる請求項１に記載の表示装置。
【請求項５】
前記第２の光源は、前記第１の光源よりも広色域の光源であり、
前記制御手段は、前記解析手段により解析された画像の色分布が、前記第１の光源を点灯させた場合の色再現域に包含されないときの他は、前記第１の光源を点灯させる請求項４に記載の表示装置。
【請求項６】
前記第１の光源及び前記第２の光源は、それぞれピーク波長が異なる赤色発光素子、緑色発光素子、及び青色発光素子からなり、
前記制御手段は、前記解析手段により解析された画像の色分布が、前記第１の光源を点灯させた場合の色再現域に包含されないが、３色の発光素子のうち少なくとも１色の発光素子について前記第２の光源を構成する発光素子を点灯させ、その他の色の発光素子について前記第１の光源を構成する発光素子を点灯させることによる色再現域に前記画像の色分布が包含されるときは、第１の光源を構成する発光素子ができるだけ多く点灯するように発光素子の点灯を制御する請求項５に記載の表示装置。
【請求項７】
前記異なる視角の等色関数は、２度視野の等色関数と１０度視野の等色関数である請求項１〜６のいずれか１項に記載の表示装置。
【請求項８】
前記第１の光源は、６４０ｎｍ付近の波長域にピークをもつ赤色発光素子、５５０ｎｍ付近の波長域にピークをもつ緑色発光素子、及び４７０ｎｍ付近の波長域にピークをもつ青色発光素子から構成される請求項７に記載の表示装置。
【請求項９】
光源の分光分布のピーク波長が、異なる視角の等色関数の差分が小さくなる波長域にあるように構成された第１の光源と、第１の光源とは異なる第２の光源と、を有する照明手段と、
前記照明手段により照明される表示パネルと、
を備える表示装置の制御方法であって、
第１の光源と第２の光源とを切り替える指示を取得する工程と、
指示に応じて点灯させる光源を第１の光源と第２の光源とのいずれかに切り替える制御工程と、
を有する表示装置の制御方法。
【請求項１０】
前記表示装置の表示モードを、視角による見えの色の変動を抑制する色差低減モードを含む複数の表示モードのいずれかに設定する設定工程を有し、
前記制御工程では、前記設定工程により色差低減モードに設定された場合、前記第１の光源を点灯させる請求項９に記載の表示装置の制御方法。
【請求項１１】
前記第２の光源は、前記第１の光源よりも広色域の光源であり、
前記設定工程では、色差低減モードと、色再現性を優先する広色域モードと、を含む複数の表示モードのいずれかの表示モードに設定し、
前記制御工程では、前記設定工程により広色域モードに設定された場合、前記第２の光源を点灯させる請求項１０に記載の表示装置の制御方法。
【請求項１２】
前記表示パネルに表示させる画像の色分布を解析する解析工程を有し、
前記制御工程では、前記解析工程により解析された画像の色分布が、前記第１の光源を点灯させた場合の色再現域に包含されているときに、前記第１の光源を点灯させる請求項９に記載の表示装置の制御方法。
【請求項１３】
前記第２の光源は、前記第１の光源よりも広色域の光源であり、
前記制御工程では、前記解析工程により解析された画像の色分布が、前記第１の光源を点灯させた場合の色再現域に包含されないときの他は、前記第１の光源を点灯させる請求項１２に記載の表示装置の制御方法。
【請求項１４】
前記第１の光源及び前記第２の光源は、それぞれピーク波長が異なる赤色発光素子、緑色発光素子、及び青色発光素子からなり、
前記制御工程では、前記解析工程により解析された画像の色分布が、前記第１の光源を点灯させた場合の色再現域に包含されないが、３色の発光素子のうち少なくとも１色の発光素子について前記第２の光源を構成する発光素子を点灯させ、その他の色の発光素子について前記第１の光源を構成する発光素子を点灯させることによる色再現域に前記画像の色分布が包含されるときは、第１の光源を構成する発光素子ができるだけ多く点灯するように発光素子の点灯を制御する請求項１３に記載の表示装置の制御方法。
【請求項１５】
前記異なる視角の等色関数は、２度視野の等色関数と１０度視野の等色関数である請求項９〜１４のいずれか１項に記載の表示装置の制御方法。
【請求項１６】
前記第１の光源は、６４０ｎｍ付近の波長域にピークをもつ赤色発光素子、５５０ｎｍ付近の波長域にピークをもつ緑色発光素子、及び４７０ｎｍ付近の波長域にピークをもつ青色発光素子から構成される請求項１５に記載の表示装置の制御方法。
【発明の詳細な説明】
【技術分野】
【０００１】
本発明は、表示装置及びその制御方法に関する。
【背景技術】
【０００２】
カラーマネジメントディスプレイのような業務用ディスプレイにおいて、ディスプレイの個体差や劣化による色ずれを修正し正確に色を表示するための、色校正（キャリブレーション）と呼ばれる色調整機能を搭載する機種が存在する。このような色を正確に表示するカラーマネジメントディスプレイを利用して、印刷結果をディスプレイ上で色校正して確認するソフトプルーフがある。最近では、ディスプレイの色再現性、色正確性、精細度が向上して、最終的な印刷の仕上がりをディスプレイ上でシミュレーションするソフトプルーフが実用的になってきた。
【０００３】
印刷物やディスプレイなどを見て人が色を感じる際、観察対象の“見えの大きさ”（視角）によって、色の感じ方が異なることが知られている。例えば、同じ色だが大きさの異なる２つの色票を用意し、観察者がこの２つの色票を見た場合、２つの色票の色が異なるように感じる。この現象は、“色の面積効果”と呼ばれており、目の視細胞感度、すなわち分光視感度特性（等色関数とも呼ばれる）が変化することが原因と考えられている。国際照明委員会（略称ＣＩＥ）では上記現象に鑑み、分光分布から色を算出する際に使用する等色関数において、“見えの大きさ”（視角）が異なる２つの等色関数を定義している。視角が２度の場合の等色関数（ＣＩＥ１９３７標準観測者）と、視角が１０度の場合の等色関数（ＣＩＥ１９６４補助標準観測者）のである。
【０００４】
このような等色関数と、ディスプレイに表示される色を人間が感じる仕組みの関係について、図４を用いて説明する。人間の目の視細胞には、赤緑青の色を感知する分光感度の異なる錐体細胞があり、人は脳の中で赤緑青として感じる大きさを足し合わせることで色を認識する。その目の赤緑青ごとの感度の分光分布を示したのが等色関数である。赤色の感度はｘ（λ）、緑色の感度はｙ（λ）、青色の感度はｚ（λ）である。２度視野と１０度視野の等色関数を図３に示す。２度視野の等色関数は、ｘ（λ）２°、ｙ（λ）２°、ｚ（λ）２°、１０度視野の等色関数は、ｘ（λ）１０°、ｙ（λ）１０°、ｚ（λ）１０°である。最終的に、人が感じる色はｘ（λ）、ｙ（λ）、ｚ（λ）から計算されるＣＩＥ  ＸＹＺ表色系の三刺激値で表わされる。ＸＹＺ刺激値のうち、Ｘは赤色に対する刺激量、Ｙは緑色に対する刺激量、Ｚは青色に対する刺激量である。図４では、ディスプレイで白色の色票を表示したときの分光特性ｓ（λ）を示しており、ディスプレイの分光特性ｓ（λ）と等色関数ｘ（λ）、ｙ（λ）、ｚ（λ）を掛け合わせて積分し、足し合わせることで人が白色であることを認識する。２度視野のときの三刺激値（Ｘ、Ｙ、Ｚ）の算出式を式１、１０度視野のときの三刺激値（Ｘ’、Ｙ’、Ｚ’）の算出式を式２に示す。ｋは係数である。
【数１】
2014164104.tif 000003
【数２】
2014164104.tif 000004
【０００５】
ＸＹＺとＸ’Ｙ’Ｚ’の値が大きく異なる場合は、ディスプレイに表示された色票を見たときに２度視野と１０度視野で異なる色として認識される。どの程度人の目に違ってみえるかは、色差ΔＥによって表現される。ＣＩＥ  ＸＹＺをＣＩＥ  Ｌａｂ空間に変換して、色座標間のユークリッド距離を算出したものがΔＥである（式３を参照）。ΔＥが１．２程度なら並べて同一色であると認識される。
【数３】
2014164104.tif 000005
【０００６】
ディスプレイ上で最終的な印刷の仕上がりを確認するソフトプルーフでは、色の安定性、正確性が重要であり、見えの大きさ（視角）によって色が変わらないことが望ましい。一方で、写真鑑賞など色の安定性よりもディスプレイの色再現域を広くしたいニーズもある。液晶ディスプレイの色再現域は、バックライトの分光特性、カラーフィルタの分光透過率特性、液晶パネルの分光特性の３つの要因によって決まる。液晶ディスプレイの色再現域を広くするためには、等色関数の分光分布とディスプレイの分光特性を積分した赤、緑、青の各原色のドミナント波長と他のサブピークが混色を起こさないことが必要である。つまり、赤、緑、青の各原色の色純度を上げることで色再現域が広くなる。しかしながら、従来の液晶パネルの光源として多く使われているＣＣＦＬ（cold cathode fluorescent lamp：冷陰極管）の分光特性は、図１４に示すようにドミナント波長以外にもサブピ
ークを多くもつ。そのため、混色が起こり色再現域を狭くしていた。また、図１５に示す白色発光ダイオードの分光特性においても、ＣＣＦＬのようなサブピークはないが広い波長域にわたる分光特性であるため、やはり混色が起こり色再現域を狭くしていた。
【０００７】
特許文献１には、表示装置の表示画質モードによって、バックライトの光源を広い赤、緑、青の発光ダイオードと白色の発光ダイオードとを切り換える技術が提案されている。バックライトの光源として白色発光ダイオードを用いた場合よりも、赤、緑、青の発光ダイオードを用いた場合の方が広い色再現域になることが示されている。
【先行技術文献】
【特許文献】
【０００８】
【特許文献１】特開２００７−２６４６５９号公報
【発明の概要】
【発明が解決しようとする課題】
【０００９】
上述の技術では、視角の違いよる等色関数の違いによって、観察距離により色が変わってしまい、ソフトプルーフを正確に行えないことがあった。
【００１０】
特許文献１に示すように発光ダイオードの分光特性は、図７に示すように局所的な波長域に急峻なピーク波長がある形となっている。この急峻な分光特性により、各色が混色を起こさないため、赤、緑、青の発光ダイオードを用いると色再現域が広がることが知られている。
【００１１】
しかし、発光ダイオードのような急峻な分光特性であるが故に問題が生じるケースがある。その一つとして、異なる視角でディスプレイを見たときに、観察距離によって見た目の色が変わってしまうことが挙げられる。見た目の色の変化について、２度視野と１０度視野の等色関数に基づいて説明する。図３に２度視野の等色関数及び１０度視野の等色関数を示す。両者を比較すると、１０度の視角で色を見たときは、２度の視角で見たときよりも赤、緑、青ともに視細胞の感度が高くなっていることがわかる。この等色関数の違いが、異なる視角で同じ色を見たときに色が異なって見える原因である。２度視野と１０度視野の等色関数の差分を波長域ごとに示したのが図８である。図８は、１０度視野の感度から２度視野の感度を引いた値を示したグラフである。例えば、青色の感度を示す等色関数では、４４０ｎｍ付近の波長域が２度視野と１０度視野で感度のずれが大きい。青色の発光ダイオードの分光特性のピーク波長が４４０ｎｍ付近にある場合には、この感度のずれの影響を大きく受けてしまう。このような視角による色のずれは、ソフトプルーフのように、最終的な印刷の仕上がりをディスプレイ上でシミュレーションする場合に問題となる。仕上がりを確認したときの視角によっては、正確にプルーフできない可能性がある。
【００１２】
本発明は、視角の違いに起因する見た目の色の変化を少なく表示可能な画像表示装置を提供することを目的とする。
【課題を解決するための手段】
【００１３】
本発明は、光源の分光分布のピーク波長が、異なる視角の等色関数の差分が小さくなる波長域にあるように構成された第１の光源と、第１の光源とは異なる第２の光源と、を有する照明手段と、
指示に応じて点灯させる光源を第１の光源と第２の光源とのいずれかに切り替える制御手段と、
前記照明手段により照明される表示パネルと、
を備える表示装置である。
【００１４】
本発明は、光源の分光分布のピーク波長が、異なる視角の等色関数の差分が小さくなる波長域にあるように構成された第１の光源と、第１の光源とは異なる第２の光源と、を有する照明手段と、
前記照明手段により照明される表示パネルと、
を備える表示装置の制御方法であって、
第１の光源と第２の光源とを切り替える指示を取得する工程と、
指示に応じて点灯させる光源を第１の光源と第２の光源とのいずれかに切り替える制御工程と、
を有する表示装置の制御方法である。
【発明の効果】
【００１５】
本発明によれば、視角の違いに起因する見た目の色の変化を少なく表示可能な画像表示装置を提供することができる。
【図面の簡単な説明】
【００１６】
【図１】実施例における画像表示装置１００の構成を示すブロック図
【図２】実施例における処理フローを示す図
【図３】２度視野と１０度視野の等色関数を示す図
【図４】ディスプレイの色を人が認識する仕組みを示す図
【図５】実施例における広色域モードと色差低減モードのときの色再現域を示す図
【図６】実施例における発光ダイオードの分光特性を示す図
【図７】色差低減モードのときに点灯させる発光ダイオードの分光特性
【図８】２度視野と１０度視野の差分を示す図
【図９】実施例における各発光ダイオードの２度視野と１０度視野の色差を示した図
【図１０】実施例におけるバックライトの構成を示すブロック図
【図１１】実施例２における画像表示装置１００の構成を示すブロック図
【図１２】実施例２における処理フローを示す図
【図１３】実施例２における色再現域を示す図
【図１４】ＣＣＦＬの分光特性を示す図
【図１５】白色発光ダイオードの分光特性を示す図
【発明を実施するための形態】
【００１７】
以下、本発明による画像表示装置及びその制御方法の実施例について説明する。
【００１８】
（実施例１）
本実施例の画像表示装置では、複数の画質モードを切り替えることができる。本実施例では画質モードは２つであり、１つは、ソフトプルーフのように正確な色再現が要求されるときに好適な画質モード（表示モード）である、視角による色の変化（変動）を抑制する色差低減モードである。１つは、写真鑑賞など色再現性を重視するときに好適な画質モードである、色再現域を広げる広色域モードである。そして、画質モードに応じて点灯させる発光ダイオードを切り替える。図１に示す画像表示装置１００のバックライトは、液晶パネル１６０を照明する装置である。バックライトは、色差低減モードのときに点灯させる第１の光源と、広色域モードのときに点灯させる第２の光源と、２種類の光源を有し、各光源は３色の発光素子（赤色発光素子、緑色発光素子、青色発光素子）から構成される。つまり、バックライト全体で計６種類の発光素子から構成される。広色域モードのときに点灯させる第２の光源は、赤色、緑色、青色の発光ダイオード（ＲＧＢ−ＬＥＤ（Ａ））１４０であり、色差低減モードのときに点灯させる第１の光源は、赤色、緑色、青色の発光ダイオード（ＲＧＢ−ＬＥＤ（Ｂ））１５０である。特に、色差低減モードで点灯する発光ダイオードは、２度視野と１０度視野の等色関数の分光分布の差分が小さい波長域に、赤、緑、青の発光ダイオードの分光特性のピーク波長が一致する光源であることを特徴する。
【００１９】
以下、本実施例について、図面を用いて説明する。図１は、本発明を適用した画像表示装置１００の構成の一例であり、画像表示装置１００、映像信号処理部１１０、画質モード設定部１２０、バックライト制御部１３０、ＲＧＢ−ＬＥＤ（Ａ）１４０、ＲＧＢ−ＬＥＤ（Ｂ）１５０を有する。画像表示装置１００は、カラーマネジメントディスプレイやマスターディスプレイのような、キャリブレーション機能を持ち、表示色の調整が可能な画像表示装置を想定している。
【００２０】
（画質モード設定部１２０）
画質モード設定部１２０は、指示に応じて、広色域を優先する画質モード（広色域モード）か、視角の違いによる色差を低減することを優先する画質モード（色差低減モード）か、のいずれかの画質モードを選択して設定する処理ブロックである。画質モードの設定は、画像表示装置１００に画質モード設定のボタンを設けて画質モード設定ボタンの操作により切り替えられるようにしても良い。また、画像表示装置に接続されるパーソナルコンピュータのアプリケーションや画像表示装置１００のＯＳＤ（On Screen Display）の
操作により切り替えられるようにしても良い。ユーザにより画質モードが設定されると、画質モード設定部１２０は、映像信号処理部１１０とバックライト制御部１３０に画質モ
ードを通知する。
【００２１】
（映像信号処理部１１０）
映像信号処理部１１０は、画像表示装置１００に入力されるＲＧＢの映像信号に対してガンマ補正、色温度補正、色域補正、ムラ補正などの信号処理を施して液晶パネル１６０に映像信号を出力する。映像信号処理部１１０で行う処理は、画像表示装置１００で正確な色を再現するキャリブレーションのために必要である。ガンマ補正では、画像表示装置１００の表示特性がガンマ２．２になるように液晶パネル１６０の表示特性を補正する。色温度補正では、ＲＧＢの信号ゲインの比率を調整して、指定した色温度（例えば５０００Ｋ）になるように補正する。色域補正では、ｓＲＧＢやＡｄｏｂｅＲＧＢなどの標準色域に一致するようにＲＧＢの信号ゲインを調整する。色域補正では、３次元のＲＧＢの格子点から構成される３Ｄ−ＬＵＴ（ＬｏｏｋｕｐＴａｂｌｅ）によりＲＧＢの信号ゲインを補正して、標準色域に一致するように校正する。本実施例では標準色域として、広色域モードのときにはＡｄｏｂｅＲＧＢ、色差低減モードのときには、ｓＲＧＢになるように調整する。ムラ補正は、液晶パネル１６０やバックライトの表示ムラを補正して、画面の色や明るさが均一になるようにする。映像信号処理部１１０は、以上のような信号処理を施して、液晶パネル１６０に映像信号を出力する。
【００２２】
（液晶パネル１６０）
液晶パネル１６０は、電圧によって画素毎の光の透過率を変えられる表示パネルである。液晶パネル１６０にはＲＧＢのカラーフィルタが備わり、バックライトから発せられた光の透過率をＲＧＢごとに制御することで、映像信号に基づく色が再現される。
【００２３】
（バックライト制御部１３０）
バックライト制御部１３０は、画像表示装置１００の光源である発光ダイオードを制御する処理ブロックである。バックライト制御部１３０は、発光ダイオードに供給する電流を調整することで画像表示装置１００の輝度を調整する。電流のみによって発光ダイオードの発光強度を詳細に調整することが難しいため、バックライト制御部１３０は発光ダイオードに一定の電流量を供給し、ＰＷＭ（ｐｕｌｓｅ ｗｉｄｔｈ ｍｏｄｕｌａｔｉｏｎ）制御することで輝度を調整する。ＰＷＭ制御とは、単位時間あたりの発光割合（デューティー比）を制御する変調方法である。
【００２４】
（ＲＧＢ−ＬＥＤ）
バックライト制御部１３０が制御する６種類の発光ダイオードについて説明する。
広色域モードのときに点灯させる赤、緑、青の発光ダイオードをＲＧＢ−ＬＥＤ（Ａ）１４０、色差低減モードのときに点灯させる赤、緑、青の発光ダイオードをＲＧＢ−ＬＥＤ（Ｂ）１５０とする。ＲＧＢ−ＬＥＤ（Ａ）１４０とＲＧＢ−ＬＥＤ（Ｂ）１５０は互いに異なる分光特性をもつ発光ダイオードである。ＲＧＢ−ＬＥＤ（Ａ）１４０に含まれるＲ１、Ｇ１、Ｂ１の発光ダイオード、及び、ＲＧＢ−ＬＥＤ（Ｂ）１５０に含まれるＲ２、Ｇ２、Ｂ２の発光ダイオードの分光特性を図６に示す。
【００２５】
ＲＧＢ−ＬＥＤ（Ａ）１４０は色再現域が広い発光ダイオード群である。ＲＧＢ−ＬＥＤ（Ａ）１４０を発光させたときの画像表示装置１００の色再現域を図５の実線で示す。
【００２６】
一方、ＲＧＢ−ＬＥＤ（Ｂ）１５０は、異なる視角による見えの色の違いが少ない発光ダイオード群である。前述したように視角によって等色関数の分光分布が異なる。つまり、画像表示装置１００の分光特性が同じでも視角によって人が認識する色が異なってしまう。
【００２７】
そこで本発明では、２度視野と１０度視野の等色関数の分光分布の差分が小さい波長域
にＲＧＢ−ＬＥＤ（Ｂ）１５０の分光特性のピーク波長が一致するようにした。２度視野と１０度視野の等色関数の差分を波長域ごとに示した図８によると、分光感度の差分が小さい波長域は、青色は４７０ｎｍ付近、緑色は５５０ｎｍ付近、赤色は６４０ｎｍ付近である。このような波長域と青色、緑色、赤色発光ダイオードのピーク波長とが一致するようにした場合の発光ダイオードの分光特性を示したものが図７である。また、ＲＧＢ−ＬＥＤ（Ｂ）１５０を発光したときの画像表示装置１００の色再現域は図５の細かい破線で示す。
【００２８】
≪処理動作フロー≫
次に、画像表示装置１００において画質モードにより点灯する発光ダイオード群を切り替える処理動作フローについて図２を参照して説明する。
【００２９】
（Ｓ２０１）
まず、ユーザが画質モードを設定する。ソフトプルーフなど、より正確な色再現が要求されるときは色差低減モードを設定し、写真鑑賞や写真の作品展示など色再現力を重視するときに広色域モードを設定する。画質モードの設定は、例えば画像表示装置１００のＯＳＤ（オンスクリーンディスプレイ）のメニューから切り替えられるようにする。ユーザにより設定された画質モードは、画質モード設定部１２０から映像信号処理部１１０とバックライト制御部１３０に通知される。
【００３０】
（Ｓ２０２）
次に、Ｓ２０１で設定された画質モードに基づきバックライト制御部１３０はバックライトの制御方法を切り替える。ユーザに設定された画質モードが、色差低減モードのときはＳ２０３に進み、広色域モードのときはＳ２０４に進む。
【００３１】
（Ｓ２０３）
画質モードが広色域モードのとき、バックライト制御部１３０は、図１０（Ａ）に示すようにＲＧＢ−ＬＥＤ（Ａ）１４０の発光ダイオードを点灯させる。つまりＲ１，Ｇ１，Ｂ１の発光ダイオードを点灯させ、Ｒ２，Ｇ２，Ｂ２の発光ダイオードを消灯させる。図１０（Ｃ）に、ＲＧＢ−ＬＥＤ（Ａ）１４０が点灯した状態のバックライト構造１０１０を示す。
【００３２】
（Ｓ２０４）
さらに、映像信号処理部１１０は、ＲＧＢ−ＬＥＤ（Ａ）１４０を点灯させたときに画像表示装置１００の色域がＡｄｏｂｅＲＧＢになるように調整する。図５に示すようなＲＧＢ−ＬＥＤ（Ａ）１４０を点灯したときの色域から、ＡｄｏｂｅＲＧＢに変換するために、映像信号処理部１１０は、ＲＧＢの３ＤＬＵＴでＲＧＢの信号ゲインを調整する。この調整により、画像表示装置１００に入力されるＲＧＢ信号はＡｄｏｂｅＲＧＢのＲＧＢ信号に対応するようになる。
【００３３】
（Ｓ２０５）
一方、画質モードが色差低減モードのとき、バックライト制御部１３０は、ＲＧＢ−ＬＥＤ（Ｂ）１５０の発光ダイオードを点灯させる。つまり、図１０（Ｂ）に示すように、Ｒ１、Ｇ１、Ｂ１の発光ダイオードを消灯して、Ｒ２、Ｇ２、Ｂ２の発光ダイオードを点灯させる。図１０（Ｄ）に、ＲＧＢ−ＬＥＤ（Ｂ）１５０が点灯した状態のバックライト構造１０２０を示す。このときの画像表示装置１００の分光データを図７に示す。
【００３４】
Ｒ１、Ｇ１、Ｂ１、Ｒ２、Ｇ２、Ｂ２の各分光特性（図６）と、２度視野と１０度視野との視野による等色関数の差分（図８）との積を図９に示す。この積の積分値が大きいほど、２度視野で見た色と１０度視野で見た色が異なる。図９によると、広色域モードのと
きのＲ１、Ｇ１、Ｂ１と比較して、色差低減モードのときのＲ２、Ｇ２、Ｂ２の積分値が小さくなっているのがわかる。
【００３５】
（Ｓ２０６）
さらに、映像信号処理部１１０は、ＲＧＢ−ＬＥＤ（Ｂ）１５０を点灯させたときに画像表示装置１００の色域がｓＲＧＢになるように調整する。図５に示すようなＲＧＢ−ＬＥＤ（Ｂ）１５０を点灯したときの色域から、ｓＲＧＢに変換するために、映像信号処理部１１０は、ＲＧＢの３ＤＬＵＴでＲＧＢの信号ゲインを調整する。この調整により、画像表示装置１００に入力されるＲＧＢ信号はｓＲＧＢのＲＧＢ信号に対応するようになる。このように、バックライトで点灯する発光ダイオードを切り替えることにより、視角による色差を低減した状態でｓＲＧＢの画像を扱うことができる。
【００３６】
本実施例では、赤緑青の発光ダイオードのような広色域の表示装置で特に顕著になる視角による色の見えが異なる現象を低減することができ、より安定した色で表示することが可能となるため、ソフトプルーフなどにおいてより正確な確認ができる。
【００３７】
また、本実施例では、液晶パネル１６０のバックライトとして発光ダイオードを使用したが、判値幅の狭いレーザー光源を用いても良い。
【００３８】
（実施例２）
実施例２では、画像表示装置１００に表示させる画像の色分布を解析して、発光させる発光ダイオードを切り替える実施例である。実施例１と異なる構成は、色情報解析部１１１０とバックライト制御方式判定部１１２０である（図１１参照）。
【００３９】
（色情報解析部１１１０）
図１１において、色情報解析部１１１０は、画像表示装置１００に表示させる画像の色分布を解析する処理ブロックである。画像の形式は、ＪＰＥＧ（Joint Photographic Experts Group）やＴＩＦＦ（Tagged Image File Format）などがある。色情報解析部１１１０は、画像のＥＸＩＦ（Exchangeable Image File Format）情報の色空間タグから、画像のＲＧＢ値がどの色空間における値であるかを取得する。色情報解析部１１１０は、次に画像の色空間に基づいて、各画素のＲＧＢ値からＸＹＺ値に変換する。また、色情報解析部１１１０は、画像に埋め込まれたＩＣＣプロファイル（International Color Consortium）の色空間定義からＸＹＺ値を取得しても良い。一例として画像の色空間がＡｄｏｂｅＲＧＢのとき、ＲＧＢ値からＸＹＺ値への変換式を式４に示す。
【数４】
2014164104.tif 000006
【００４０】
色情報解析部１１１０が算出したＸＹＺ値をｘｙＹ表示系に変換してｘｙ色度図上にプロットした例を図１３に示す。図１３の網掛けの部分が画像の色分布を示している。
【００４１】
（バックライト制御方式判定部１１２０）
バックライト制御方式判定部１１２０は、色情報解析部１１１０の色解析情報に基づいて、どの発光ダイオードを点灯、消灯させるか判定する処理ブロックである。制御対象となる発光ダイオードは、実施例１と同様にＲ１、Ｇ１、Ｂ１、Ｒ２、Ｇ２、Ｂ２である。
【００４２】
≪処理動作フロー≫
実施例２の処理動作フローについて図１２を参照して説明する。
【００４３】
（Ｓ１２０１）
まず、色情報解析部１１１０は画像表示装置１００に表示させる画像の色分布を解析する。すなわち、色情報解析部１１１０は、色情報解析部１１１０が画像の色空間情報とＲＧＢ値からＸＹＺ値を算出して、色分布解析結果として映像信号処理部１１０とバックライト制御方式判定部１１２０に出力する。
【００４４】
（Ｓ１２０２）
バックライト制御方式判定部１１２０は、色情報解析部１１１０の色分布解析結果に基づいて、画像の色分布を包含する色再現域を求め、その色再現域で表示するために点灯させる発光ダイオードの切り替えが必要か否かを判定する。このとき、バックライト制御方式判定部１１２０は、視角による色の違い少なくなるようにＲ２、Ｇ２、Ｂ２の発光ダイオードを優先して点灯させる。画像の色分布が図１３に示すような場合を例に説明する。まず、バックライト制御方式判定部１１２０は、画像を表示するときにバックライトの発光ダイオードを切り替える必要があるか判定する。現在ＲＧＢ−ＬＥＤ（Ｂ）１５０が点灯しているとしたとき、画像の色分布がＲＧＢ−ＬＥＤ（Ｂ）１５０の色域を超えているため、再現できない色が存在する。そこで、バックライト制御方式判定部１１２０は、３色の発光ダイオードのうち少なくとも１色は広色域用の発光ダイオードを点灯させ、その他の色は色差低減用の発光ダイオードを点灯させて得られる色再現域に画像の色分布が包含されるか判定する。ここで示している例では、画像の色分布を包含する色再現域とするために、Ｒ２、Ｇ１、Ｂ２の発光ダイオードを点灯させ、Ｒ１、Ｇ２、Ｂ１の発光ダイオードを消灯すると判定する。緑色の発光ダイオードをＧ２とすると、指定された色空間の画像の色が再現できなくなるため、緑色の発光ダイオードだけＧ１を選択する。Ｒ２、Ｂ２は前述したように視角による色差の影響が小さいため、Ｒ１，Ｇ１、Ｂ１を点灯したときよりも視角による色差の影響を低減できる。
【００４５】
（Ｓ１２０３）
バックライト制御部１３０は、バックライト制御方式判定部１１２０の判定結果に従い発光ダイオードを点灯させる。上記の例では、Ｒ２、Ｇ１、Ｂ２の発光ダイオードを発光させる。緑色の発光ダイオードの点灯を切り替えることで、画像の色分布を包含する色再現域とすることができる。
【００４６】
（Ｓ１２０４）
最後に、映像信号処理部１１０は、ＸＹＺ値に変換した画像データを、点灯させた発光ダイオードに対応する色再現域のＲＧＢ値に変換する。上記の例では、ＸＹＺ値に変換した画像データを、Ｒ２、Ｇ１、Ｂ２の発光ダイオードを点灯させたときの色再現域のＲＧＢ値に変換する。つまり、本実施例ではＡｄｏｂｅＲＧＢ色空間上のＲＧＢ値をデバイス非依存の色空間上のＸＹＺ値に変換したのち、Ｒ２、Ｇ１、Ｂ２の発光ダイオードを点灯させたときの色再現域のＲＧＢ値に変換する。このようにＸＹＺ値からＲＧＢ値に変換したあと、映像信号処理部１１０は、ガンマ補正、色温度補正、ムラ補正などの信号処理を施して液晶パネル１６０に映像を出力する。
【００４７】
本実施例では、画像表示装置１００に表示させる画像の色分布を解析し、解析結果に応じて、画像の色分布が包含される範囲内で、色差低減モード用の第１の光源を構成する発光ダイオードがなるべく多く点灯するように発光ダイオードの点灯を制御する。これにより、なるべく広色域に保ちつつ、視角による見えの色の違いを低減することができる。また、実施例１のようにユーザが画質モードを切り替える必要がなくなり、広色域を優先し
たい場合や色差を低減したい場合のように、用途に応じたバックライトの点灯方式を自動的に切り替えることができる。
【符号の説明】
【００４８】
１００：画像表示装置、１３０：バックライト制御部、１４０：ＲＧＢ−ＬＥＤ（Ａ）、１５０：ＲＧＢ−ＬＥＤ（Ｂ）、１６０：液晶パネル
【図１】
2014164104.tif 000007
【図２】
2014164104.tif 000008
【図３】
2014164104.tif 000009
【図４】
2014164104.tif 000010
【図５】
2014164104.tif 000011
【図６】
2014164104.tif 000012
【図７】
2014164104.tif 000013
【図８】
2014164104.tif 000014
【図９】
2014164104.tif 000015
【図１０】
2014164104.tif 000016
【図１１】
2014164104.tif 000017
【図１２】
2014164104.tif 000018
【図１３】
2014164104.tif 000019
【図１４】
2014164104.tif 000020
【図１５】
2014164104.tif 000021